(57)【要約】【課題】開封率の向上、レスポンスの向上、内容理解度の向上などを十分に期待することができ且つ封筒やはがきを構成する紙の有効利用が十分に図られた形態を有する封筒。【解決手段】封筒（１）の一部を構成する紙片（３）にペーパークラフト（６ａ〜６ｃ）が設けられている。ペーパークラフトの一部（６ａ）が窓（２ａ）を介して外部から見えるように構成されている。ペーパークラフトの折り目に沿ってハーフカットまたはミシン目が形成され、ペーパークラフトの切り目は複数のタイ部分を除いて予め切断されている。【選択図】  図１
2004149162.tif 000002
【特許請求の範囲】
【請求項１】
封筒の一部を構成する紙片にペーパークラフトが設けられていることを特徴とするペーパークラフト付き封筒。
【請求項２】
前記ペーパークラフトの全体または一部が窓を介して外部から見えるように構成されていることを特徴とする請求項１に記載のペーパークラフト付き封筒。
【請求項３】
隠蔽はがきの一部を構成する紙片にペーパークラフトが設けられていることを特徴とするペーパークラフト付き隠蔽はがき。
【請求項４】
請求項１または２に記載のペーパークラフト付き封筒および請求項３に記載のペーパークラフト付き隠蔽はがきの作成方法において、
前記ペーパークラフトの折り目に沿ってハーフカットまたはミシン目が形成され、
前記ペーパークラフトの切り目は複数のタイ部分を除いて予め切断されていることを特徴とする作成方法。
【請求項５】
前記折り目に沿ったハーフカットまたはミシン目の形成および前記切り目に沿った切断は、レーザを用いて行うことを特徴とする請求項４に記載の作成方法。
【発明の詳細な説明】
【０００１】
【発明の属する技術分野】
本発明は、ペーパークラフト付き封筒、ペーパークラフト付き隠蔽はがき、およびその作成方法に関するものである。
【０００２】
【従来の技術】
従来、様々な情報提供のための封書やはがきが、ダイレクトメールとして送付されている。ダイレクトメールでは、開封率の向上、レスポンス（返答率）の向上、内容理解度の向上などが重要であり、様々な形態のダイレクトメールが提案されている。
【０００３】
【発明が解決しようとする課題】
しかしながら、従来の形態のダイレクトメールでは、開封率の向上、レスポンスの向上、内容理解度の向上などを十分に期待することができなかった。また、封筒やはがきを構成する紙の有効利用も十分ではなかった。
【０００４】
本発明は、前述の課題に鑑みてなされたものであり、開封率の向上、レスポンスの向上、内容理解度の向上などを十分に期待することができ且つ封筒やはがきを構成する紙の有効利用が十分に図られた形態を有する封筒、はがき、およびその作成方法を提供することを目的とする。
【０００５】
【課題を解決するための手段】
前記課題を解決するために、本発明の第１形態では、封筒の一部を構成する紙片にペーパークラフトが設けられていることを特徴とするペーパークラフト付き封筒を提供する。この場合、前記ペーパークラフトの全体または一部が窓を介して外部から見えるように構成されていることが好ましい。
【０００６】
本発明の第２形態では、隠蔽はがきの一部を構成する紙片にペーパークラフトが設けられていることを特徴とするペーパークラフト付き隠蔽はがきを提供する。
【０００７】
本発明の第３形態では、第１形態のペーパークラフト付き封筒および第２形態のペーパークラフト付き隠蔽はがきの作成方法において、
前記ペーパークラフトの折り目に沿ってハーフカットまたはミシン目が形成され、
前記ペーパークラフトの切り目は複数のタイ部分を除いて予め切断されていることを特徴とする作成方法を提供する。
【０００８】
第３形態の好ましい態様によれば、前記折り目に沿ったハーフカットまたはミシン目の形成および前記切り目に沿った切断は、レーザを用いて行う。
【０００９】
【発明の実施の形態】
本発明の実施形態を、添付図面に基づいて説明する。
図１は、本発明の第１実施形態にかかるペーパークラフト付き封筒の構成を概略的に示す図であって、封筒の展開状態を示している。また、図２は、図１の封筒の閉じられた送付状態を示す正面図である。さらに、図３は、第１実施形態のペーパークラフト付き封筒の作成方法を説明する図である。
【００１０】
図１を参照すると、第１実施形態にかかるペーパークラフト付き封筒１は、封筒の第１紙片２と封筒の第２紙片３とを備えている。そして、第１紙片２の所定位置には、たとえば矩形状の開口部２ａが形成されている。開口部２ａは、必要に応じて、透明シート（不図示）により内側から塞がれている。さらに、第１紙片２の内側面には、封筒１を送付すべき送付先に伝えるべき第１可変情報４がプリントされている。
【００１１】
一方、第２紙片３の内側面には、封筒１を送付すべき送付先の氏名および住所に関する第２可変情報５がプリントされるとともに、ペーパークラフト６が設けられている。一般に、ペーパークラフトは、切り目に沿って切り抜いて、折り目に沿って折り曲げることにより、たとえばプラモデルやその部品のような立体状の形態を構成するものである。図１では、一例として、３つの部品に対応するペーパークラフト６ａ〜６ｃが示されている。
【００１２】
なお、第２可変情報５およびペーパークラフトの第１部品６ａは、開口部２ａの外形に対応する領域（図中破線で示す矩形状の領域）２ｂ内に位置決めされている。したがって、封筒１が閉じられた送付状態において、図２に示すように、第２可変情報５およびペーパークラフトの第１部品６ａが、封筒１の透明窓としての開口部２ａを介して外部から見えるように構成されている。
【００１３】
以下、第１実施形態にかかるペーパークラフト付き封筒１の作成方法、特にペーパークラフト６ａ〜６ｃの作成方法について簡単に説明する。第１実施形態のペーパークラフト６ａ〜６ｃでは、たとえば炭酸ガス（ＣＯ２）レーザ（波長１０．６μｍ）を用いて、切り目が複数のタイ部分を除いて予め切断され、折り目に沿ってハーフカットまたはミシン目が形成されている。
【００１４】
すなわち、第１実施形態のペーパークラフト６ａ〜６ｃでは、図３（ａ）に示すように、切り目に沿った長い切断線３１が複数の短いタイ部分（切断されていない部分）３２を除いて形成されている。また、折り目には、図３（ｂ）に示すような非貫通型の切断線からなるハーフカット（筋押し）３３、あるいは図３（ｃ）に示すようなカット部３５とタイ部３６との繰り返しからなるミシン目３４が形成されている。
【００１５】
以上のように、第１実施形態のペーパークラフト付き封筒１では、封筒１の一部を構成する第２紙片３にペーパークラフト６ａ〜６ｃが設けられているので、紙の有効利用を十分に図ることができる。また、ペーパークラフトの第１部品６ａが、封筒１の透明窓としての開口部２ａを介して外部から見えるように構成されているので、開封率の向上、レスポンスの向上、内容理解度の向上などを十分に期待することができる。
【００１６】
すなわち、開封率の向上を図るために、送付先毎にペーパークラフトの内容を変えることができる。具体的には、たとえばディーラーからの車検整備の案内の場合に送付先が所有する車のペーパークラフトを採用したり、紙ヒコーキの会員への案内の場合に紙ヒコーキのペーパークラフトを採用したり、ペット愛好家への案内の場合に動物のペーパークラフトを採用することができる。
【００１７】
また、レスポンスの向上を図るために、ペーパークラフトの完成に対して１つまたは複数の部品を不足させ、レスポンスにより不足する部品が得られるように設定することもできる。具体的には、たとえば車のペーパークラフトの場合にフロントグリル部やボディ側面部の部品を欠損させたり、紙ヒコーキのペーパークラフトの場合に主翼や本体の部品を欠損させたり、動物のペーパークラフトの場合に頭や胴体の部品を欠損させたりすることができる。
【００１８】
さらに、内容理解度の向上を図るために、第１可変情報４の内容を理解しない限り正しいレスポンスにより不足する部品を得ることができないように設定することもできる。具体的には、たとえば車検の有効期限が２００２．０９．１３である場合に、有効期限に対応する数字「２００２０９１３」を含む所定のＵＲＬアドレス（たとえば・・・／／ｈｏｇｅ／ｎａｍｅ１／２００２０９１３．・・・）のサイトにアクセスしない限り不足する部品を得ることができないように設定することができる。
【００１９】
同様に、たとえば紙ヒコーキの会への「入会のお知らせ」の場合に、その特定の位置（たとえば６行目１０番目の文字「ａ」、１２行目１番目の文字「ｂ」など）に記載された複数の文字の組み合わせ（たとえば「ａｂ」など）を含む所定のＵＲＬアドレス（たとえば・・・／／ｈｏｇｅ／ｎａｍｅ２／ａｂ．・・・）のサイトにアクセスしない限り不足する部品を得ることができないように設定することもできる。
【００２０】
また、第１実施形態では、ペーパークラフト６ａ〜６ｃの切り目が複数のタイ部分を除いて予め切断され、折り目に沿ってハーフカットまたはミシン目が形成されている。したがって、カッターやハサミを用いて切り目を切断する必要がなく、折り曲げを案内するハーフカットやミシン目の作用により容易に且つ正確に折り曲げることができるので、切抜き作業や折曲げ作業に時間および根気を要しない。
【００２１】
なお、上述の第１実施形態では、炭酸ガスレーザを用いてペーパークラフトのレーザ加工を行っているが、これに限定されることなく、たとえばＵＶレーザ（波長３５５ｎｍ）やグリーンレーザ（波長５３２ｎｍ）などの他の適当なレーザを用いることができる。
【００２２】
また、上述の第１実施形態では、封筒に対して本発明を適用しているが、これに限定されることなく、たとえば隠蔽はがきに対して本発明を適用することもできる。ここで、隠蔽はがきは、人目に触れられたくない情報をはがきの形態で郵送するための手段であって、「貼合わせはがき」とも呼ばれている。
【００２３】
図４は、本発明の第２実施形態にかかるペーパークラフト付き隠蔽はがきの構成を概略的に示す図であって、（ａ）は展開状態を、（ｂ）は閉じられた送付状態を示している。図４（ａ）を参照すると、第２実施形態にかかるペーパークラフト付き隠蔽はがき１１は、第１紙片１２と第２紙片１３とを備えている。そして、第２紙片１３の内側面（貼り合わされて情報が隠蔽される側の面）には、隠蔽はがき１１を送付すべき送付先に伝えるべき第１可変情報１４がプリントされている。
【００２４】
また、図４（ｂ）に示すように、第２紙片１３の外側面（閉じられた送付状態において外部に露出する側の面）には、隠蔽はがき１１を送付すべき送付先の氏名および住所に関する第２可変情報１６がプリントされている。一方、第１紙片１２の内側面には、ペーパークラフトの４つの部品１５ａ〜１５ｄが設けられている。第２実施形態においても第１実施形態と同様に、４つの部品１５ａ〜１５ｄは、たとえば炭酸ガスレーザを用いて加工されている。
【００２５】
こうして、第２実施形態のペーパークラフト付き隠蔽はがき１１においても、隠蔽はがき１１の一部を構成する第１紙片１２にペーパークラフト１５ａ〜１５ｄが設けられているので、紙の有効利用を十分に図ることができる。また、ペーパークラフト１５ａ〜１５ｄや第１可変情報１４に対して第１実施形態と同様の構成（送付先毎にペーパークラフトの内容を変えること、ペーパークラフトの完成に対して１つまたは複数の部品を不足させること、第１可変情報の内容を理解しない限り正しいレスポンスにより不足する部品を得ることができないように設定することなど）を適用することにより、開封率の向上、レスポンスの向上、内容理解度の向上などを十分に期待することができる。
【００２６】
なお、上述の第２実施形態では、情報印刷の可能な面が４面のＶ折り形態を有する隠蔽はがきに対して本発明を適用しているが、これに限定されることなく、たとえば情報印刷の可能な面が６面のＺ折り形態を含む様々な形態を有する隠蔽はがきに対して本発明を適用することもできる。
【００２７】
【発明の効果】
以上説明したように、本発明のペーパークラフト付き封筒およびペーパークラフト付き隠蔽はがきでは、開封率の向上、レスポンスの向上、内容理解度の向上などを十分に期待することができ、且つ封筒やはがきを構成する紙の有効利用を十分に図ることができる。
【図面の簡単な説明】
【図１】本発明の第１実施形態にかかるペーパークラフト付き封筒の構成を概略的に示す図であって、封筒の展開状態を示している。
【図２】図１の封筒の閉じられた送付状態を示す正面図である。
【図３】第１実施形態のペーパークラフト付き封筒の作成方法を説明する図である。
【図４】本発明の第２実施形態にかかるペーパークラフト付き隠蔽はがきの構成を概略的に示す図であって、（ａ）は展開状態を、（ｂ）は閉じられた送付状態を示している。
【符号の説明】
１  ペーパークラフト付き封筒
２  封筒の第１紙片
２ａ  開口部
３  封筒の第２紙片
４，１４  送付先に伝えるべき第１可変情報
５，１６  送付先の氏名および住所に関する第２可変情報
６，１５  ペーパークラフト
１１  ペーパークラフト付き隠蔽はがき
１２  隠蔽はがきの第１紙片
１３  隠蔽はがきの第２紙片
【図１】
2004149162.tif 000003
【図２】
2004149162.tif 000004
【図３】
2004149162.tif 000005
【図４】
2004149162.tif 000006